(57)【特許請求の範囲】
【請求項１】
ごみの捕獲部を有する排水口の上方に形成される通水空間部と、通水空間部の上方開口を覆う蓋本体とを具備するごみ受け装置において、上記蓋本体の側周部に、通水空間部内に側方から水を導入する導水口を設けるとともに、上記蓋本体の裏面に、導水口を通じて側方から導入された水を通水空間部内で旋回させる旋回付与構造を設け、上記旋回付与構造は、上記蓋本体の裏面の導水口近傍の箇所と、これとは別に中央部の箇所に設けた突片部から成り、中央部の突片部は渦巻板部であり、この渦巻板部と導水口近傍の突片部の全体が、渦巻状に形成されることを特徴とするごみ受け装置。
【発明の詳細な説明】
【技術分野】
【０００１】
本発明は、浴室等の排水口に設置されるごみ受け装置に関する。
【背景技術】
【０００２】
浴室等の排水口には、排水と共に流れ込む毛髪等のごみを捕獲するためのごみ受け装置を設置することが好ましい。上記ごみ受け装置は、ヘアキャッチャー等の捕獲部を装着させた排水口の上方に、排水の流入する通水空間部を形成し、この通水空間部の上方開口を蓋本体で覆うことで形成される。蓋本体には通水口が設けてあり、この通水口を通じて通水空間部内に排水が導入される（例えば特許文献１参照）。
【０００３】
上記構成のごみ受け装置によれば、蓋本体で隠してある通水空間部内に排水を集め、この通水空間部内にて、捕獲部の捕獲面上に毛髪等のごみを捕獲しておくことができる。したがって、使用者は定期的に蓋本体を外して捕獲部を取り出し、該捕獲部に捕獲された毛髪等のごみを廃棄すればよい。
【０００４】
ところで、上記捕獲部に捕獲される毛髪等のごみを廃棄する際に、これらのごみが塊状になっていることが好ましい。ごみが塊状であれば、捕獲面が下を向くように捕獲部を手に持ち、上下に軽く振るだけでごみが一体に落下する。しかし、特に毛髪等は捕獲部の周囲部分に引っ掛かることが多く、塊状になり難いという問題がある。
【特許文献１】特開２００１−２３４５７０号公報
【発明の開示】
【発明が解決しようとする課題】
【０００５】
本発明は上記問題点に鑑みて発明したものであって、通水空間内に導入される排水を強制的に旋回させ、この旋回流の作用により、毛髪等のごみを塊状にして捕獲部に捕獲させておくことのできるごみ受け装置を提供することを課題とするものである。
【課題を解決するための手段】
【０００６】
上記課題を解決するために本発明を、ごみの捕獲部９を有する排水口２の上方に形成される通水空間部１４と、通水空間部１４の上方開口を覆う蓋本体１１とを具備するごみ受け装置において、上記蓋本体１１の側周部に、通水空間部１４内に側方から水を導入する導水口１５を設けるとともに、上記蓋本体１１の裏面に、導水口１５を通じて側方から導入された水を通水空間部１４内で旋回させる旋回付与構造３０を設けたものとする。上記旋回付与構造３０は、上記蓋本体１１の裏面の導水口１５近傍の箇所と、これとは別に中央部の箇所に設けた突片部１６から成り、中央部の突片部１６は渦巻板部１８であり、この渦巻板部１８と導水口１５近傍の突片部１６の全体が、渦巻状に形成される。
【０００７】
このようにすることで、導水口１５を通じて導入される排水を通水空間部１４にて旋回させた状態で、捕獲部９を通過させることができる。排水が旋回しながら捕獲部９を通過する際に、排水中に含まれる毛髪等のごみは、捕獲部９に塊状を成すように捕獲されることとなる。
【０００８】
上記旋回付与構造３０は、上記蓋本体１１の裏面の導水口１５近傍の箇所と、これとは別に中央部の箇所に設けた突片部１６から成るので、通水空間部１４内に導入された直後の段階で旋回を付与することができ、旋回流を効率的に形成することができる。
【００１２】
また、上記旋回付与構造３０は、突片部１６によって形成されるので、簡単な構造により効率的に旋回流を形成することができる。
【発明の効果】
【００１３】
請求項１に係る発明は、蓋本体の側周部に、通水空間部内に側方から水を導入する導水口を設けるとともに、上記蓋本体の裏面に、導水口を通じて側方から導入された水を通水空間部内で旋回させる旋回付与構造を設けたことで、通水空間内に側方から導入される排水を強制的に旋回させ、この旋回流の作用により、毛髪等のごみを塊状にして捕獲部に捕獲させておくことができる。したがって、使用者が定期的に蓋本体を外して捕獲部を取り出し、上下に軽く振るだけで塊状を成す毛髪等のごみは一体に落下することになり、廃棄作業が非常に容易になるという効果を奏する。
【００１４】
また請求項１に係る発明は、旋回付与構造が、上記蓋本体の裏面の導水口近傍の箇所と、これとは別に中央部の箇所に設けた突片部から成るので、旋回流を効率的に形成することができ、捕獲されるごみを効率的に塊状にすることが可能になるという効果を奏する。
【００１７】
また請求項１に係る発明は、旋回付与構造が突片部から成ることで、突片部を設けた簡単な構造により効率的に旋回流を形成することができるという効果を奏する。
【発明を実施するための最良の形態】
【００１９】
以下、本発明を添付図面に示す実施形態に基づいて説明する。図１〜図４には、本発明の実施形態における一例のごみ受け装置を示している。本例のごみ受け装置は、図３に示すような浴室の洗い場１の排水口２の上方に設置されたものである。
【００２０】
図１にも示すように、浴室の床パン３は、洗い場１を構成する洗い場部４と、浴槽５（図３参照）が設置される浴槽設置部６とから成り、洗い場部４と浴槽設置部６の間には両者４，６を仕切る堰部７を立ち上げている。洗い場部４の堰部７側端部には凹所８を設けており、この凹所８の中央部に排水口２を開口させている。排水口２には、ヘアキャッチャーである捕獲部９が装着してある。上記捕獲部９は、上方を向くとともに多数の通水孔を有する捕獲面９ａを有し、排水口２に上方から着脱自在に装着されるものである。また、この排水口２の下方には、排水口２から流下した水と、浴槽設置部６側から排出された水を共に下流側に流す排水トラップ１０が設けてある。
【００２１】
床パン３の上記凹所８には、矩形状を成す蓋本体１１を装着させている。蓋本体１１の外周部の周方向に間隔を隔てた複数箇所から、下方に向けて脚部１２を突設している。この脚部１２を、凹所８において排水口２の周縁部よりも一段高く設けた段部１３上に載置することで、蓋本体１１を捕獲部９の上方に配置している。
【００２２】
上記装着状態において、蓋本体１１の上面は床パン３の洗い場部４の上面と略面一となる。そして、蓋本体１１は床パン３の凹所８との間で通水空間部１４を形成するとともに、この通水空間部１４の下部に位置することとなる排水口２及び捕獲部９を外部から覆い隠す。蓋本体１１と凹所８の段部１３との間には、蓋本体１１の脚部１２間の切欠状の隙間が位置し、この隙間が、通水空間部１４の上部の周縁部分から該通水空間部１４内に水を導入する導水口１５となっている。この導水口１５は蓋本体１１の四方に形成されており、洗い場部４側の排水が蓋本体１１の全周から流入するように設けてある（図３参照）。上記通水空間部１４の内面や蓋本体１１の裏面は、撥水処理しておくことが好ましい。
【００２３】
そして、本例のごみ受け装置にあっては、蓋本体１１の側周部に形成した導水口１５を通じて側方から導入された水を、通水空間部１４内で螺旋状に旋回させながら下部中央の捕獲部９を有する排水口２に送り込むための旋回付与構造３０として、蓋本体１１の排水口２と対向する裏面に、全体として渦巻状を成す突片部１６を一体に形成してある。
【００２４】
この突片部１６は図２に示すような形状であり、蓋本体１１の四方に形成される各導水口１５の近傍箇所に並設される複数枚の平板部１７と、中央部に設置される渦巻板部１８とから成る。平板部１７と渦巻板部１８は、排水に対して共に一定回転方向（平面視における時計回り、或いは反時計回り）に向けての旋回を付与するように配置したものである。なお、図２（ｂ）中においては、蓋本体１１の脚部１２及び導水口１５は省略してある。
【００２５】
上記のように、捕獲部９を有する排水口２の上方に通水空間部１４を形成し、該通水空間部１４の上方開口を蓋本体１１で覆い、蓋本体１１の側周部に、通水空間部１４内に側方から水を導入する導水口１５を設けるとともに、蓋本体１１の裏面には、導水口１５を通じて側方から導入された水に当たることで該水を通水空間部１４内で旋回させる突片部１６を設けたことで、排水中の毛髪等のごみが捕獲部９にて塊状となって容易に捕獲される。
【００２６】
つまり、床パン３の洗い場部４上の水が凹所８の周縁部に流下すると、蓋本体１１の側周部の各導水口１５から導入された水は、まず各導水口１５近傍の平板部１７に当たって一定回転方向にガイドされ、且つ平板部１７を通過した後は中央の渦巻板部１８に当たることで、更に同回転方向に向けての旋回を付与される。渦巻状に旋回しながら排水口２に流下した水は、捕獲部９を通過する際に毛髪等のごみを該捕獲部９の捕獲面９ａ上に塊状を成すように形成して捕獲させ、この後、排水トラップ１０内を介して外部に排出される。
【００２７】
したがって、使用者が定期的に蓋本体１１を外して捕獲部９を取り出し、該捕獲部９の捕獲面９ａ上に捕獲された毛髪等のごみを廃棄する際には、捕獲面９ａが下を向くように捕獲部９を手に持って上下に軽く振るだけで、塊状を成す毛髪等のごみは一体に落下することになり、廃棄作業が非常に容易である。
【００２８】
なお、上記突片部１６の構造は図２に示す構造に限定されず、例えば中央の渦巻板部１８のみで形成してもよいし、周縁の平板部１７のみで形成してもよい。図４に示す変形例においては、蓋本体１１を囲む四方向のうち対向する二方向にのみ導水口１５を設け、各導水口１５の近傍箇所であって流量の多い箇所にのみ平板部１７を設けている。
【００２９】
また、特に図示はしていないが、上記旋回付与構造３０を、蓋本体１１の裏面に凹設した溝部により形成してもよい。ここでの溝部の外形及び配置は、図２、図４に示す突片部１６の配置と同様の外形及び配置であればよい。即ち、蓋本体１１の各導水口１５の近傍箇所に並設される複数本の直線溝部と、中央部に形成される渦巻溝部とで、上記旋回付与構造３０を形成することによっても、同様の旋回付与効果を得ることは可能である。この場合、直線溝部と渦巻溝部の一方だけでもよいし、また直線溝部を流量の多い箇所にだけ配してもよいことは、上記突片部１６の場合と同様である。
【００３０】
次に、本発明の実施形態における他例のごみ受け装置について、図６に基づいて説明する。なお、上記した一例の構成と同様の構成については同一符号を付して詳しい説明を省略し、本例の特徴的な構成についてのみ以下に詳述する。
【００３１】
本例にあっては、排水口２上方の蓋本体１１の側周部から導水口１５を通じて導入された水を、通水空間部１４内で螺旋状に旋回させながら中央の捕獲部９に送り込むための旋回付与構造３０として、全体として渦巻状に形成される羽根状の突片部１６を、上記通水空間部１４の底面（即ち、床パン３の凹所８の底面）であって排水口２を囲む箇所に一体に形成してある。
【００３２】
本例の突片部１６は、通水空間部１４の底面の排水口２を囲む周縁部分に突設される複数枚の平板から成り、通水空間部１４内に上部側方から流入する水に対して、平面視時計回りの旋回を付与するように配置されている。つまり、床パン３の洗い場部４上の水が凹所８の周縁部に流下すると、蓋本体１１の側周部の各導水口１５から導入された水は、通水空間部１４の底面の突片部１６に当たって時計周りにガイドされ、渦巻状に旋回しながら捕獲部９を通過する。この際に、毛髪等のごみを該捕獲部９の捕獲面９ａ上に塊状を成すように形成して捕獲させる。
【００３３】
なお、上記突片部１６の構造についても、図６に示す構造には限定されず、例えば一例の図４に示したように蓋本体１１を囲む四方向のうち対向する二方向にのみ導水口１５を設けた場合には、通水空間部１４の底面の各導水口１５に近い側であって流量の多い箇所にのみ、突片部１６を設けても構わない。
【００３４】
また、本例においても特に図示はしていないが、上記旋回付与構造３０を、通水空間部１４の底面に凹設した溝部により形成してもよい。ここでの溝部の外形及び配置は、図６に示す突片部１６の外形及び配置と同様の配置であればよい。つまり、排水口２を囲む位置に凹設される複数本の直線溝部で上記旋回付与構造３０を形成することによっても、排水に同様の旋回付与効果を得ることは可能である。
【００３５】
更に、上記した一例の構成と他例の構成を組み合わせることも好適である。つまり、旋回付与構造３０として、一例に示す蓋本体１１の裏面の突片部１６又は溝部の構造と、他例に示す通水空間部１４の底面の突片部１６又は溝部の構造とを組み合わせることにより、高い旋回付与効果を得ることができる。このとき、蓋本体１１側の構造と通水空間部１４の底面側の構造とで、強制的に生じさせる旋回の方向を一致させておくことは勿論である。
【図面の簡単な説明】
【００３６】
【図１】本発明の実施形態における一例のごみ受け装置を浴室に設置した状態を示す断面図である。
【図２】同上のごみ受け装置の蓋本体を示し、（ａ）は背面図、（ｂ）は概略斜視図である。
【図３】同上のごみ受け装置を浴室に設置した状態を示す概略平面図である。
【図４】同上のごみ受け装置の蓋本体の変形例を示し、（ａ）は背面図、（ｂ）は斜視図である。
【図５】本発明の実施形態における他例のごみ受け装置を浴室に設置した状態を示す断面図である。
【図６】同上のごみ受け装置の要部平面図である。
【符号の説明】
【００３７】
２  排水口
９  捕獲部
１１  蓋本体
１４  通水空間部
１５  導水口
１６  突片部
３０  旋回付与構造
【図１】
0004894654.tif 000002
【図２】
0004894654.tif 000003
【図３】
0004894654.tif 000004
【図４】
0004894654.tif 000005
【図５】
0004894654.tif 000006
【図６】
0004894654.tif 000007